(57)【要約】  自動医薬品分配システムが開示される。システムは、少なくとも１つの物品に関する識別情報を記憶するように構成されたメモリを含む。識別情報は、少なくとも１つの物品の少なくとも１つの特定の特徴と関連付けられたインジケータを含む。システムは、また、少なくとも１つの物品をユーザに対して分配するように構成されたプロセッサと、少なくとも１つの物品に関する識別情報を表示するように構成された出力モジュールと、分配された物品が、出力モジュールによって表示された識別情報と同じ識別情報を有することを、ユーザが確認したことを示す入力を、ユーザから受け付けるように構成された入力装置と、を含む。また、ハンドヘルド装置と、臨床管理システムと、方法と、機械読み取り可能な媒体と、が開示される。
2013506611.tif 000002
【特許請求の範囲】
【請求項１】
少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記少なくとも１つの物品をユーザに対して分配するように構成されたプロセッサと、
前記少なくとも１つの物品に関する識別情報を表示するように構成された出力モジュールと、
前記分配された物品が、前記出力モジュールによって表示された識別情報と同じ識別情報を有することを、前記ユーザが確認したことを示す入力を、前記ユーザから受け付けるように構成された入力装置と、を備えることを特徴とする自動医薬品分配システム。
【請求項２】
アクセス情報を受け付けるように構成された入力装置をさらに備え、
前記プロセッサは、前記ユーザが前記少なくとも１つの物品に対するアクセスを有することを、前記アクセス情報が示す場合、前記少なくとも１つの物品を前記ユーザに対して分配するように構成される、ことを特徴とする請求項１に記載のシステム。
【請求項３】
前記出力モジュールによって表示された識別情報は、前記少なくとも１つの物品の画像を含む、ことを特徴とする請求項１に記載のシステム。
【請求項４】
前記少なくとも１つの物品の少なくとも１つの特定の特徴は、前記少なくとも１つの物品の形状、色、および標示の少なくとも１つを含む、ことを特徴とする請求項１に記載のシステム。
【請求項５】
前記少なくとも１つの物品は、医薬品である、ことを特徴とする請求項１に記載のシステム。
【請求項６】
前記プロセッサは、前記分配された物品が、前記出力モジュールによって表示された識別情報と同じ識別情報を有することを、前記ユーザが所定時間内に確認しなかった場合には、警告を出力するようにさらに構成される、ことを特徴とする請求項１に記載のシステム。
【請求項７】
少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記少なくとも１つの物品が、ユーザに対して分配されたことを識別する情報を受け付けるように構成されたプロセッサと、
前記少なくとも１つの物品に関する識別情報を表示するように構成された表示モジュールと、
前記分配された物品が、前記表示モジュールによって表示された識別情報と同じ識別情報を有することを、前記ユーザが確認したことを示す入力を、前記ユーザから受け付けるように構成された入力装置と、を備えることを特徴とするハンドヘルド装置。
【請求項８】
少なくとも１つの物品を保持するように構成され、かつ、許可されたユーザによってアクセスされるように構成された、キャビネットハウジングと、
前記少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記キャビネットハウジングから、前記少なくとも１つの物品を前記許可されたユーザに対して分配するように構成されたプロセッサと、
前記少なくとも１つの物品に関する識別情報を表示するように構成された出力モジュールと、
前記分配された物品が、前記出力モジュールによって表示された識別情報と同じ識別情報を有することを、前記ユーザが確認したことを示す入力を、前記ユーザから受け付けるように構成された入力装置と、を備えることを特徴とする臨床管理システム。
【請求項９】
分配されるべき少なくとも１つの物品の選択を受け付けるステップと、
前記少なくとも１つの物品をユーザに対して分配するステップと、
前記少なくとも１つの物品に関する識別情報であって、前記少なくとも１つの物品の少なくとも１つの特定の特徴と関連付けられたインジケータを含む識別情報を、メモリから取り出すステップと、
前記少なくとも１つの物品に関する識別情報を表示するステップと、
前記分配された少なくとも１つの物品が、前記表示された識別情報と同じ識別情報を有することを、前記ユーザが確認したことを示す入力を、前記ユーザから受け付けるステップと、を含むことを特徴とする、物品の分配を確認するための方法。
【請求項１０】
ユーザからアクセス情報を受け付けるステップをさらに備え、
前記ユーザが、前記少なくとも１つの物品に対するアクセスを有することを、前記アクセス情報が示す場合に、前記少なくとも１つの物品が前記ユーザに分配される、ことを特徴とする請求項９に記載の方法。
【請求項１１】
前記表示された識別情報は、前記少なくとも１つの物品の画像を含む、ことを特徴とする請求項９に記載の方法。
【請求項１２】
前記少なくとも１つの物品の少なくとも１つの特定の特徴は、前記少なくとも１つの物品の形状、色、および標示の少なくとも１つを含む、ことを特徴とする請求項９に記載のシステム。
【請求項１３】
前記少なくとも１つの物品は、医薬品である、ことを特徴とする請求項９に記載の方法。
【請求項１４】
前記分配された少なくとも１つの物品が、前記表示された識別情報と同じ識別情報を有することを、前記ユーザが所定時間内に確認しなかった場合に、警告を出力するステップをさらに備える、ことを特徴とする請求項９に記載の方法。
【請求項１５】
物品の分配を確認する命令を、プロセッサに実行させるための、コンピュータ実行可能な命令を有するコンピュータ読み取り可能な媒体であって、
分配されるべき少なくとも１つの物品の選択を受け付けるステップと、
前記少なくとも１つの物品をユーザに対して分配するステップと、
前記少なくとも１つの物品に関する識別情報であって、前記少なくとも１つの物品の少なくとも１つの特定の特徴と関連付けられたインジケータを含む識別情報を、メモリから取り出すステップと、
前記少なくとも１つの物品に関する識別情報を表示するステップと、
前記分配された少なくとも１つの物品が、前記表示された識別情報と同じ識別情報を有することを、前記ユーザが確認したことを示す入力を、前記ユーザから受け付けるステップと、
を含む、ことを特徴とするコンピュータ読み取り可能な媒体。
【発明の詳細な説明】
【技術分野】
【０００１】
本開示は、概して、在庫管理のためのシステムおよび方法に関し、特に、在庫から分配された物品の確認に関する。
【背景技術】
【０００２】
医療業界、特に病院では、壁面キャビネット、手動保管される患者カセット引き出し、および自動分配機などの、中央に配置される医薬品および分配品の分配ステーションを提供することが、良く知られている。このような一般的にアクセス可能な分配ステーションは、患者介護者への医薬品および分配品の分配を含む、いくつかの役割を果たす。
【発明の概要】
【発明が解決しようとする課題】
【０００３】
このような分配ステーションは、概してその意図される目的を果たしているが、欠点もある。１つの欠点は、介護者が分配ステーションから誤った医薬品を受け取るか、または取得する場合があることである。これは、介護者が分配ステーションから誤った医薬品を手動で取り出すこと、または自動分配機の場合には、自動分配機が誤った医薬品を介護者に分配すること、に起因する場合がある。誤った医薬品を患者に提供することは、深刻な被害または死をもたす可能性がある。
【０００４】
この欠点を解決する１つの試みは、正しい医薬品を受け取ったことを、介護者が確認することである。これは一般に、介護者が医薬品のテキストラベルを読むこと、またはバーコードスキャナを用いて、医薬品に関連付けられたバーコードをスキャンすること、により達成される。しかし、介護者は、テキストラベルを誤って読むか、またはテキストラベルを全く読まない場合もある。医薬品に関連付けられたバーコードを、バーコードスキャナを用いてスキャンすることは、追加の時間を要する。両方の例において、医薬品のテキストおよび／またはバーコードラベルが誤っているか、または無くなっている場合もある。
【課題を解決するための手段】
【０００５】
本明細書において開示される分配物品確認システムの実施形態は、分配された物品の識別特徴をハイライトすること、または目立たせてユーザに示すことなどにより、システムによって分配された物品を確認するときに、ユーザを補助する。特定の実施形態では、システムは、ユーザに、分配された物品が、ユーザがシステムにリクエストしたものと同じ物品であることを確認する入力を提供することを、要求する。
【０００６】
本開示の特定の実施形態では、自動医薬品分配システムが開示される。システムは、少なくとも１つの物品に関する識別情報を記憶するように構成されたメモリを含む。識別情報は、少なくとも１つの物品の少なくとも１つの特定の特徴と関連付けられたインジケータを含む。また、システムは、少なくとも１つの物品をユーザに対して分配するように構成されたプロセッサと、少なくとも１つの物品に関する識別情報を表示するように構成された出力モジュールと、分配された物品が、出力モジュールによって表示された識別情報と同じ識別情報を有することを、ユーザが確認したことを示す入力を、ユーザから受け付けるように構成された入力装置と、を含む。
【０００７】
本開示の特定の実施形態では、ハンドヘルド装置が開示される。装置は、少なくとも１つの物品に関する識別情報を記憶するように構成されたメモリを含む。識別情報は、少なくとも１つの物品の少なくとも１つの特定の特徴と関連付けられたインジケータを含む。また、装置は、少なくとも１つの物品が、ユーザに対して分配されたことを識別する情報を受け付けるように構成されたプロセッサと、少なくとも１つの物品に関する識別情報を表示するように構成された表示モジュールと、分配された物品が、表示モジュールによって表示された識別情報と同じ識別情報を有することを、ユーザが確認したことを示す入力を、ユーザから受け付けるように構成された入力装置と、を含む。
【０００８】
本開示の特定の実施形態では、臨床管理システムが開示される。システムは、少なくとも１つの物品を保持するように構成され、かつ、許可されたユーザによってアクセスされるように構成された、キャビネットハウジングと、少なくとも１つの物品に関する識別情報を記憶するように構成されたメモリと、を含む。識別情報は、少なくとも１つの物品の少なくとも１つの特定の特徴と関連付けられたインジケータを含む。また、システムは、キャビネットハウジングから、少なくとも１つの物品を許可されたユーザに対して分配するように構成されたプロセッサと、少なくとも１つの物品に関する識別情報を表示するように構成された出力モジュールと、分配された物品が、出力モジュールによって表示された識別情報と同じ識別情報を有することを、ユーザが確認したことを示す入力を、ユーザから受け付けるように構成された入力装置と、を含む。
【０００９】
本開示の特定の実施形態では、物品の分配を確認するための方法が開示される。方法は、分配されるべき少なくとも１つの物品の選択を受け付けるステップと、少なくとも１つの物品をユーザに対して分配するステップと、少なくとも１つの物品に関する識別情報を、メモリから取り出すステップと、を含む。識別情報は、少なくとも１つの物品の少なくとも１つの特定の特徴と関連付けられたインジケータを含む。また、方法は、少なくとも１つの物品に関する識別情報を表示するステップと、分配された少なくとも１つの物品が、表示された識別情報と同じ識別情報を有することを、ユーザが確認したことを示す入力を、ユーザから受け付けるステップと、を含む。
【００１０】
本開示の特定の実施形態では、ステップを行うことにより物品の分配を確認する命令を、プロセッサに実行させるための、コンピュータ実行可能な命令を有するコンピュータ読み取り可能な媒体が開示される。ステップは、分配されるべき少なくとも１つの物品の選択を受け付けるステップと、少なくとも１つの物品をユーザに対して分配するステップと、少なくとも１つの物品に関する識別情報を、メモリから取り出すステップと、を含む。識別情報は、少なくとも１つの物品の少なくとも１つの特定の特徴と関連付けられたインジケータを含む。また、ステップは、少なくとも１つの物品に関する識別情報を表示するステップと、分配された少なくとも１つの物品が、表示された識別情報と同じ識別情報を有することを、ユーザが確認したことを示す入力を、ユーザから受け付けるステップと、を含む。
【００１１】
添付される図面は、さらなる理解を提供するために含まれ、かつ本明細書に組み込まれてその一部を構成するものであり、開示される実施形態を例示し、本明細書とともに、開示される実施形態の原理を説明する役割を果たす。
【図面の簡単な説明】
【００１２】
【図１】特定の実施形態に係る分配物品確認システムを示す図。
【図２】図１の分配物品確認システムを用いて、分配物品の正確度を確認する例示的なプロセスを示すフローチャート。
【図３Ａ】図２の動作の間に、分配された錠剤の正確度を確認するための、図１の分配物品確認システムと関連付けられた表示装置によって表示されるサンプルスクリーンショット。
【図３Ｂ】図２の動作の間に、分配された薬ビンの正確度を確認するための、図１の分配物品確認システムと関連付けられた表示装置によって表示されるサンプルスクリーンショット。
【図４】図１の分配物品確認システムを実施可能なコンピュータシステムの例を示すブロック図。
【発明を実施するための形態】
【００１３】
分配ステーションには、分配された物品が誤って確認されるか、または全く確認されない、という問題がある。これまでに実施された確認技術は、多くの場合において、不正確であり、効果がなく、および／または時間がかかるものである。この問題や他の問題は、自動医薬品分配システムを含む本開示の実施形態によって、少なくとも部分的には対処され、かつ解決される。システムは、少なくとも１つの物品に関する識別情報を記憶するように構成されたメモリを含む。識別情報は、少なくとも１つの物品の少なくとも１つの特定の特徴と関連付けられたインジケータを含む。システムは、また、少なくとも１つの物品をユーザに対して分配するように構成されたプロセッサと、少なくとも１つの物品に関する識別情報を表示するように構成された出力モジュールと、分配された物品が、出力モジュールによって表示された識別情報と同じ識別情報を有することを、ユーザが確認したことを示す入力を、ユーザから受け付けるように構成された入力装置と、を含む。
【００１４】
以下の詳細な説明において、本開示の完全な理解を提供するために、数多くの具体的詳細が説明される。しかし、これらの特定の詳細のいくつかが無くても、本開示の実施形態を実践可能であることが、当業者には明らかである。他の例では、本開示を不明瞭にしないために、良く知られた構造や技術は、詳細には示されていない。
【００１５】
図１は、特定の実施形態に係る分配物品確認システム１００を示す図である。システム１００は、クライアント１０２と、入力装置１１４と、表示装置１１６とを含む。本明細書で述べるように、クライアント１０２は、コンピュータシステムである。特定の実施形態では、クライアント１０２は、自動分配機(図３Ａの３０１)である。特定の実施形態では、クライアント１０２は、臨床管理システム（図３Ｂの３５１）である。特定の実施形態では、クライアント１０２は、ネットワーク１１８に接続される。プロセッサ１０４、通信モジュール１０６、メモリ１０８、入力装置１１４、および表示装置１１６は、通信バス１０２を用いて通信する。
【００１６】
クライアント１０２のメモリ１０８は、蓄積された物品データ１１０と、確認モジュール１１２とを含む。物品データ１１０は、医薬品などの物品に関する識別情報を含む。識別情報は、以下の医薬品識別氏（画像、名前、投与量、製造業者、色、大きさ、形、味、重量、質量、有効期限、製造日、標示、およびバーコード）を含むが、これらに限定はされるものではない。例えば、医薬品の画像は、赤と黄色に着色された錠剤の画像を含んでもよく、この画像は、製造業者名、医薬品の名称、医薬品の投与量、および関連する有効期限などの標示を含んでもよい。特定の実施形態では、以下に図３Ａおよび図３Ｂを参照して説明するように、物品の特定の特徴をハイライトするか、または物品の特定の特徴を示す、追加の識別子が、設けられる。
【００１７】
識別情報は、それが識別する医薬品に応じて構成される。例えば、アデロールＸＲ（Adderall XR）（例えば、１／４デキストロアンフェタミンサッカラート、１／４硫酸デキストロアンフェタミン、１／４ラセミ体デキストロ／レボ−アンフェタミンアスパラギン酸一水和物、および１／４ラセミ体デキストロ／レボ−硫酸アンフェタミン）の画像を、物品データ１１０内のアデロールＸＲのデータ識別子と関連付けることができる。
【００１８】
特定の実施形態では、追加の識別情報が必要である場合、または物品データ１１０が、医薬品に関する特定の識別情報を含まない場合には、プロセッサ１０４によって、ネットワーク１１８（例えば、私設通信ネットワークまたはインターネット等の公共通信ネットワーク）経由で通信モジュール１０６を通して送信されるリクエストにより、追加の識別情報を取り出すことができる。通信モジュール１０６は、ネットワーク１１８および／またはネットワーク１１８上の装置と、情報を送信し、受信し、および伝達するように構成されている。システム１００は、ネットワーク１１８と連続して通信することができ、または、必要に応じて（例えば、追加の識別情報がリクエストされた際に）、ネットワーク１１８または他の装置と接続することができる。通信は、データ送信を可能にする通信レイヤを介して達成される。通信モジュール１０６の例としては、ＲＳ−２３２などのシリアル通信インターフェイス、イーサネット、ユニバーサルシリアルバス（ＵＳＢ）、ならびにＲＦ、赤外線、Ｂｌｕｅｔｏｏｔｈ（Ｒ）、およびＩＥＥＥ８０２．１１ｘなどの無線インターフェイスが挙げられる。例えば、システム１００は、データケーブルを介して、中央データネットワーク装置に接続することにより、ネットワーク化することができる。
【００１９】
確認モジュール１１２は、プロセッサ１０４によって実行される命令を含む。例示的な命令が、以下により詳細に説明される図２のプロセス２００に示されている。特定の実施形態では、確認モジュール１１２と物品データ１１０とを、自動分配機のメモリにロードすることができ、これにより、示されるシステム１００は、本明細書に開示されるプロセスを有して構成される自動分配機となる。特定の実施形態では、確認モジュール１１２と物品データ１１０とを、臨床管理システムのメモリにロードすることができ、これにより、示されるシステム１００は、本明細書に開示されるプロセスを有して構成される臨床管理システムとなる。特定の実施形態では、確認モジュール１１２と物品データ１１０とを、携帯型装置のメモリにロードすることができ、これにより、示されるシステム１００は、本明細書に開示されるプロセスを有して構成されるハンドヘルドコンピュータ（例えば、携帯情報端末）となる。
【００２０】
プロセッサ１０４は、確認モジュール１１２に記憶される命令などの、クライアントのメモリ１０８に含まれる命令を実行するように構成される。プロセッサ１０４は、また、入力装置１１４から入力情報を受け付け、かつ、物品データ１１０から表示装置１１６に識別情報を提供するように構成されている。特定の実施形態では、プロセッサ１０４は、複数の物品に関する識別情報を、同時かまたは連続して、処理し、かつ表示装置１１６に提供して、表示させる（例えば、合成画像で）ように構成されている。また、システム１００が、分配されるべき医薬品を含む自動分配機である、特定の実施形態では、プロセッサ１０４は、入力装置１１４から適切なアクセス情報を受け付けた際に、医薬品を分配するように構成されている。特定の実施形態では、プロセッサ１０４は、表示装置１１６に対して、医薬品の物理的スケールを表示する情報を提供し、これにより、医薬品のサイズ基準を提供するように構成されている。
【００２１】
入力装置１１４は、クライアント１０２に対して、プロセッサ１０４によって処理された入力を提供するように構成されている。キーボード、タッチスクリーンディスプレイ、マウス、マイク、磁気カードリーダ、生体認証リーダ−センサ、近接リーダ、無線周波数（ＲＦ）識別リーダ、および記号リーダなどの、有線または無線入力装置１１４を用いることができるが、これに限定はされるものではない。特定の実施形態では、入力装置１１４は、ユーザが医薬品へのアクセスを有するか否かを示すアクセス情報を、ユーザから提供するように構成されている。例えば、アクセス情報は、ユーザ名、パスワード、キーカード、または当業者に知られた他の識別情報を含むことができる。特定の実施形態では、入力装置１１４は、分配された医薬品が、表示モジュールによって表示された識別情報と同じ識別情報を有することを、ユーザが確認したことを示す入力を、ユーザから受け付けるように構成されている。例えば、システム１００が、ヘパリンの薬ビンをユーザに分配した場合には、システムは、分配された薬ビンに、表示装置１１６によって表示されたものと同じ名前、投与量、および製造業者が記されていることを確認するように、ユーザに要求することができる。所定時間内などに、表示された情報をユーザが確認しない場合には、プロセッサ１０４は、分配された薬ビンが確認されてないことを示す視覚的警告（例えばユーザへのリマインダ）、可聴警告、または他の通知などの警告を、出力することができる。特定の実施形態では、プロセッサ１０４は、現在のユーザをログアウトさせること、当該物品を含む容器へのアクセスを制限（例えばロック）すること、不完全な確認活動を記録すること、および／または他のユーザまたはシステムに通知メッセージを送信することもできる。
【００２２】
表示装置１１６は、出力モジュールの一種である。制限はしないが、プリンタ、スピーカ等の可聴インジケータ、または表示画面などの他の視覚インジケータを含む、他の種類の出力モジュールを用いることができ、表示画面は、ブラウン管（ＣＲＴ）ディスプレイ、真空蛍光ディスプレイ（ＶＦＤ）、発光ダイオード（ＬＥＤ）ディスプレイ、プラズマディスプレイパネル（ＰＤＰ）、液晶ディスプレイ（ＬＣＤ）、有機発光ダイオード（ＯＬＥＤ）、または表面伝導型電子放出素子ディスプレイ（ＳＥＤ：surface-conduction electron-emitter display）を含む。表示装置１１６は、メモリ１０８内の物品データ１１０からの識別情報などの、プロセッサによって分配される情報を表示または出力するように構成されている。
【００２３】
図２は、図１の分配物品確認システム１００を用いた、分配物品の正確度を確認する例示的なプロセス２００を示すフローチャートである。特定の実施形態では、図２のプロセス２００は、メモリに記憶されるように構成されたコンピュータ読み取り可能な命令（例えばソフトウェア）として、確認モジュール１１２内で実施されており、これらの命令は、次いで、図１に例示され説明されるように、コンピュータシステムまたは他の機械にロードすることができる。
【００２４】
プロセス２００は、ステップ２０１から開始してステップ２０２に進むが、このステップ２０２において、ユーザは、上述した分配物品確認システム１００の自動分配機実施形態３０１（図３Ａに示す）であるクライアント１０２に、ログインする。ユーザは、入力装置１１４を用いて、自動分配機３０１への許可アクセス情報を提供することにより、ログインする。ユーザがログインした後に、ユーザは、ステップ２０３において、医薬品を分配する対象である患者を選択し、ステップ２０４において、分配されるべき患者の医薬品を選択する。ステップ２０５において、自動分配機３０１は、選択された医薬品をユーザに分配する。次に、ステップ２０６において、自動分配機３０１は、ユーザに対する確認画面を表示装置１１６に表示する。例示的な確認画面が、図３Ａおよび図３Ｂに示されており、かつ、以下に詳細に説明される。自動分配機３０１は、次いで、判定ステップ２０７において、分配された医薬品のユーザ確認を待ち、ユーザが医薬品を確認すると、ユーザは、判定ステップ２０８において、他の患者向けの医薬品を分配するか否かを尋ねられる。ユーザが、判定ステップ２０８において、他の患者向けの医薬品を分配することを決定した場合には、プロセス２００は、ステップ２０３に戻り、決定しない場合には、プロセス２００は、ステップ２０９において終了する。
【００２５】
図２において、図１の分配物品確認システムを用いて分配物品が確認されるプロセス２００を説明したが、これより、図２のプロセス２００と錠剤アデロールＸＲとを用いて、実施例を説明する。プロセス２００は、ステップ２０１で開始してステップ２０２に進むが、このステップ２０２において、看護師が、キーボードおよびマウス１１４を用いてユーザ名およびパスワードを入力することにより、分配物品確認システム１００の自動分配機３０１の実施形態にログインする。ログインした後に、看護師は、ステップ２０３において、患者ジェーン・ドウ用の医薬品を分配することを選択し、ステップ２０４において、ジェーン・ドウに処方されたアデロールＸＲの錠剤１つを分配することを選択する。ステップ２０５において、自動分配機３０１は、アデロールＸＲの錠剤１つを看護師に分配する。次に、ステップ２０６において、自動分配機３０１は、図３Ａに示されるように、看護師に対する確認画面３００を表示装置１１６に表示する。
【００２６】
図３Ａは、アデロールＸＲを分配するための確認画面３００の例示的なスクリーンショットである。アデロールＸＲ錠剤の画像３１４が提供される。画像３１４の固有の特徴を識別するために、２つの別個の円が提供されるが、１つの円３０２は、１０ｍｇの投与量を識別し、そして、１つの円３０４は、製造業者、ＳＨＩＲＥを識別する。看護師は、また、錠剤の独特の青い色３２２を識別するように指示される。看護師は、マウスポインタ３０６を用いて、これらの識別特徴を確認（３０８）するように促され、分配された錠剤がアデロールＸＲとして確認されたことを示すボタン（“はい”ボタン３１０）か、または、分配された錠剤がアデロールＸＲとして確認されなかったことを示すボタン（“ＮＯ”ボタン３１２）を、画面３００上で押す。
【００２７】
看護師が、判定ステップ２０７において、（例えば、マウスポインタ３０６を用いて“はい”ボタン３１０押すことにより）医薬品を確認した場合には、看護師は、次いで、判定ステップ２０８において、他の患者の医薬品を分配したいか否かを尋ねられる。看護師は、判定ステップ２０８において、他の患者の医薬品を分配しないと決定し、プロセス２００は、ステップ２０９において終了する。
【００２８】
ここで、図２のプロセス２００と、医薬品ヘパリンロックフラッシュ溶液（Heparin Lock Flush Solution）（すなわち、ＨＥＰＦＬＵＳＨ−１０）の薬ビンと、を用いて、別の例を説明する。プロセス２００は、ステップ２０１で開始してステップ２０２に進むが、このステップ２０２では、薬剤技師が、タッチスクリーンモニタと生体認証識別子（図示せず）とを入力装置１１４として用いて親指の指紋を入力することにより、分配物品確認システム１００の臨床管理システム３５１の実施形態にログインする。ログインした後に、ステップ２０３において、薬剤技師は、患者ジョン・ドウ向けの医薬品を分配することを選択し、ステップ２０４において、ジョン・ドウの処方されたヘパリンロックフラッシュ溶液の薬ビン１つを分配することを選択する。ステップ２０５において、臨床管理システム３５１は、ヘパリンロックフラッシュ溶液の薬ビン１つを、薬剤技師に分配する。次に、ステップ２０６において、臨床管理システム３５１は、図３Ｂに示すように、薬剤技師に対する確認画面３５０を表示装置１１６に表示する
【００２９】
図３Ｂは、ヘパリンロックフラッシュ溶液の薬ビンを分配するための、確認画面３５０の例示的なスクリーンショットである。ヘパリンロックフラッシュ溶液の薬ビンの画像３２４が提供されている。画像３１４の区別特徴を識別するために、３つの別個の円が付されており、１つの円３１６は、医薬品名であるＨＥＰＦＬＵＳＨ−１０を識別し、１つの円３１８は、投与量である１０ＵＳＰユニット／ｍＬを識別し、１つの円３２０は、量である１０ｍＬを識別している。薬剤技師は、また、薬ビンの独特の黄色い色３２２を識別するように指示される。薬剤技師は、マウスポインタ３０６を用いて画面３５０上のボタンを押すことにより、これらの識別特徴のそれぞれを確認するように促されるが（３０８）、これらの識別特徴のそれぞれに関して、分配された薬ビンがヘパリンロックフラッシュ溶液として確認されたこと（３１０）、または、これらの識別特徴のそれぞれに関して、分配された薬ビンがヘパリンロックフラッシュ溶液として確認されなかったこと（３１２）を示す。この例では、“はい”ボタン３１０が薄い影で表されることで示されるように、薬剤技師は、医薬品名を既に確認済みである。
【００３０】
薬剤技師が、判定ステップ２０７において、（例えば、タッチスクリーンモニタ２０６を用いて、薬ビンの画像３１４の識別特徴と関連付けられた、各“はい”ボタン３１０を押すことにより）医薬品を確認した場合には、薬剤技師は、次いで、判定ステップ２０８において、他の患者向けの医薬品を分配したいかどうかを尋ねられる。薬剤技師は、ステップ２０８において、他の患者向けの医薬品を分配しないと決定し、プロセス２００は、ステップ２０９において終了する。
【００３１】
図４は、図１の分配物品確認システム１００を実施することができる、コンピュータシステム４００の例を示すブロック図である。特定の実施形態では、コンピュータシステム４００は、ソフトウェア、ハードウェア、または両方の組み合わせを用いて、専用のサーバ内か、または他の実体に統合されるか、または複数の実体に渡って分配されるか、のいずれかで実施してもよい。
【００３２】
コンピュータシステム４００は、情報を伝達するためのバス４０８（例えば、図１の通信バス１２０）または他の通信機構と、情報を処理するためにバス４０８と結合されたプロセッサ４０２（例えば、図１のプロセッサ１０４）と、を含む。例として、コンピュータシステム４００は、１つまたは複数のプロセッサ４０２を有して実施してもよい。プロセッサ４０２は、汎用マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）、プログラマブルロジックデバイス（ＰＬＤ）、コントローラ、ステートマシン、ゲートロジック（gated logic）、個別のハードウェアコンポーネント、または計算もしくは他の情報の操作を行うことができる他の任意の適切な実体であればよい。コンピュータシステム４００は、また、メモリ４１０（例えば、図１のメモリ１０８）を含み、このメモリ４１０は、ランダムアクセスメモリ（ＲＡＭ）、フラッシュメモリ、読み出し専用メモリ（ＲＯＭ）、プログラマブル読み出し専用メモリ（ＰＲＯＭ）、消去可能ＰＲＯＭ（ＥＰＲＯＭ）、レジスタ、ハードディスク、リムーバルディスク、ＣＤ−ＲＯＭ、ＤＶＤ、または他の任意の適切な記憶装置などであり、バス４０８に結合され、情報と、プロセッサ４０２によって実行されるべき命令と、を記憶する。命令は、当業者に良く知られた任意の方法に従って実施してもよく、方法は、システム言語（例えばＣ、Ｃ＋＋、アセンブリ）、アーキテクチャ言語（例えばＪａｖａ）、およびアプリケーション言語（例えば、ＰＨＰ、Ｒｕｂｙ、Ｐｅｒｌ、Ｐｙｔｈｏｎ）などのコンピュータ言語を含む。メモリ４１０を用いて、プロセッサ４０２によって実行されるべき命令の実行中に、一時変数または他の中間情報を記憶してもよい。コンピュータシステム４００は、情報および命令を記憶するためにバス４０８に結合された、磁気ディスクまたは光ディスクなどのデータ記憶装置４０６をさらに含む。
【００３３】
コンピュータシステム４００は、コンピュータユーザに対して情報を表示するために、Ｉ／Ｏモジュール４０４を介して、ＣＲＴまたはＬＣＤなどの表示装置（例えば、図１の表示装置１１６）に結合してもよい。情報およびコマンド選択をプロセッサ４０２に伝達するために、例えば、キーボード、タッチスクリーン、またはマウスなどの入力装置（例えば、図１の入力装置１１４）を、Ｉ／Ｏモジュール４０４を介してコンピュータシステム４００に結合してもよい。
【００３４】
本開示の一態様によれば、メモリ４１０に含まれる１つまたは複数の命令の１つまたは複数のシーケンスを実行するプロセッサ４０２に応じて、コンピュータシステム４００を用いて、物品の分配を確認するためのシステムを実施することができる。このような命令は、データ記憶装置４０６などの他の機械読み取り可能な媒体から、メモリ４１０に読み込んでもよい。メインメモリ４１０に含まれる命令のシーケンスの実行は、プロセッサ４０２に、本明細書に記載されるプロセスステップを実行させる。また、多重処理配置された１つまたは複数のプロセッサを採用して、メモリ４１０に含まれる命令のシーケンスを実行してもよい。代替実施形態では、ソフトウェア命令の代わりに、またはソフトウェア命令と組み合わせて、ハードワイヤード回路を用いて、本開示の様々な実施形態を実施してもよい。よって、本開示の実施形態は、ハードウェア回路とソフトウェアとの任意の特定の組み合わせに限定されるものではない。
【００３５】
本明細書で用いられる、用語“機械読み取り可能な媒体”は、プロセッサ４０２に命令を分配して実行させることに関わる任意の媒体を指す。このような媒体は、不揮発性媒体、揮発性媒体、および伝送媒体を含む多くの形態を取り得るが、これらに限定されるものではない。不揮発性媒体は、例えば、データ記憶装置４０６などの光ディスクまたは磁気ディスクを含む。揮発性媒体は、メモリ４０６などのダイナミックメモリを含む。伝送媒体は、同軸ケーブル、銅線、および光ファイバを含み、バス４０８を備えるワイヤを含む。伝送媒体は、また、無線周波数および赤外線データ通信の間に生成されるものなどの、音波または光波の形態を取ることができる。機械読み取り可能な媒体の一般的な形態は、例えば、フロッピーディスク、フレキシブルディスク、ハードディスク、磁気テープ、他の任意の磁気媒体、ＣＤ−ＲＯＭ、ＤＶＤ、他の任意の光媒体、パンチカード、紙テープ、パターンもしくは孔を有する他の任意の物理的媒体、ＲＡＭ、ＰＲＯＭ、ＥＰＲＯＭ、ＦＬＡＳＨ  ＥＰＲＯＭ、他の任意のメモリチップまたはカートリッジ、搬送波、またはコンピュータが読み取ることができる他の任意の媒体を含む。
【００３６】
本開示の実施形態は、物品の特定の識別特徴をユーザに提示して確認させるユーザインターフェイスを提供することにより、ユーザに分配される物品が、このユーザによって迅速かつ容易に確認される、システムを提供する。特定の実施形態では、ユーザは、物品が確認されたことを示すフィードバックを、システムに提供するように、要求される。
【００３７】
本開示の特定の実施形態は、医薬品および分配品分野で有用であるが、一方で、他の実施形態は、医療業界とは別の、類似の在庫確認が好適である広範囲の産業への適用性を有することを、上述の説明から理解されたい。本開示は、医療用品および薬品産業に限定することを意図していない。
【００３８】
本明細書に記載される様々な例示的なブロック、モジュール、要素、コンポーネント、方法、およびアルゴリズムを、電子ハードウェア、コンピュータソフトウェア、または両者の組み合わせとして実施可能であることを、当業者は理解するであろう。さらに、これらは、説明されたものとは異なって分割してもよい。このハードウェアおよびソフトウェアの交換可能性を示すために、様々な例示的なブロック、モジュール、要素、コンポーネント、方法、およびアルゴリズムを、概してそれらの機能性に関し、上述のように説明した。このような機能が、ハードウェアとして実施されるか、ソフトウェアとして実施されるかは、特定の用途と、システム全体に課せられる設計の制約と、に依存する。熟練技術者は、説明された機能を、それぞれの特定の用途に対して、様々なやり方で実施することができる。
【００３９】
開示されたプロセスにおけるステップまたはブロックの特定の順番または階層は、例示的な手法の例であることを理解されたい。設計の嗜好に基づき、プロセスにおけるステップまたはブロックの特定の順番または階層を、再配置してもよいことを理解されたい。添付の特許請求の範囲の方法の請求項は、様々なステップの要素を、サンプルの順番で提示しており、提示される特定の順番または階層に限定されることを意味しない。
【００４０】
先の説明は、どのような当業者でも、本明細書に記載される様々な態様を実践することを可能にするために提供される。これらの態様に対する様々な修正が、当業者には容易に理解され、そして、本明細書に定義される一般的な原理は、他の態様にも適用可能である。よって、特許請求の範囲は、本明細書に示される態様に限定されることを意図していないが、言語による特許請求の範囲（language claims）と一致する完全な範囲を与えられるべきものであり、ここで、単数での要素の言及は、具体的にそう述べていない限り、“唯一”であるとの意味を意図しておらず、むしろ“１つまたは複数”である。他に特に述べていない限り、用語“いくつかの”は、１つまたは複数を指す。男性形（例えば、彼）の代名詞は、女性および中性（例えば、彼女、その）を含み、その逆も同様である。当業者に知られているか、または後で知られることになる、本開示の全体を通して説明された様々な態様の要素の、全ての構造的および機能的均等物は、参考のために本明細書に明確に援用され、かつ特許請求の範囲によって包含されることが意図される。さらに、本明細書において開示されるものはいずれも、このような開示が特許請求の範囲に明確に述べられているか否かにかかわらず、公共に捧げることを意図していない。請求項の要素はいずれも、表現“するための手段（means for）”を用いて明確に述べられていない限り、または方法請求項の場合に、表現“するためのステップ（step for）”を用いて示されていない限り、米国特許法第１１２条第６項の規定の下では解釈されない。
【図１】
2013506611.tif 000003
【図２】
2013506611.tif 000004
【図４】
2013506611.tif 000005
【図３Ａ】
2013506611.tif 000006
【図３Ｂ】
2013506611.tif 000007
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記少なくとも１つの物品をユーザに対して分配するように構成されたプロセッサと、
前記少なくとも１つの物品に関する識別情報を表示するように構成された出力モジュールと、
前記分配された物品が、前記出力モジュールによって表示された識別情報と同じ識別情報を有することを、前記ユーザが確認したことを示す入力を、前記ユーザから受け付けるように構成された入力装置と、を備え、
前記プロセッサは、さらに、前記分配された物品が、前記出力モジュールによって表示された識別情報と同じ識別情報を有することを、前記ユーザが所定時間内に確認しなかった場合には、警告を出力するように構成されることを特徴とする自動医薬品分配システム。
【請求項２】
アクセス情報を受け付けるように構成された入力装置をさらに備え、
前記プロセッサは、前記ユーザが前記少なくとも１つの物品に対するアクセスを有することを、前記アクセス情報が示す場合、前記少なくとも１つの物品を前記ユーザに対して分配するように構成される、ことを特徴とする請求項１に記載のシステム。
【請求項３】
前記出力モジュールによって表示された識別情報は、前記少なくとも１つの物品の画像を含む、ことを特徴とする請求項１に記載のシステム。
【請求項４】
前記少なくとも１つの物品の少なくとも１つの特定の特徴は、前記少なくとも１つの物品の形状、色、および標示の少なくとも１つを含む、ことを特徴とする請求項１に記載のシステム。
【請求項５】
前記少なくとも１つの物品は、医薬品である、ことを特徴とする請求項１に記載のシステム。
【請求項６】
少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記少なくとも１つの物品が、ユーザに対して分配されたことを識別する情報を受け付けるように構成されたプロセッサと、
前記少なくとも１つの物品に関する識別情報を表示するように構成された表示モジュールと、
前記分配された物品が、前記表示モジュールによって表示された識別情報と同じ識別情報を有することを、前記ユーザが確認したことを示す入力を、前記ユーザから受け付けるように構成された入力装置と、を備え、
前記プロセッサは、さらに、前記分配された物品が、前記表示モジュールによって表示された識別情報と同じ識別情報を有することを、前記ユーザが所定時間内に確認しなかった場合には、警告を出力するように構成されることを特徴とするハンドヘルド装置。
【請求項７】
少なくとも１つの物品を保持するように構成され、かつ、許可されたユーザによってアクセスされるように構成された、キャビネットハウジングと、
前記少なくとも１つの物品に関する識別情報を記憶するように構成されたメモリであって、前記識別情報が、前記少なくとも１つの物品の少なくとも１つの特定の特徴と関連付けられたインジケータを含む、メモリと、
前記キャビネットハウジングから、前記少なくとも１つの物品を前記許可されたユーザに対して分配するように構成されたプロセッサと、
前記少なくとも１つの物品に関する識別情報を表示するように構成された出力モジュールと、
前記分配された物品が、前記出力モジュールによって表示された識別情報と同じ識別情報を有することを、前記ユーザが確認したことを示す入力を、前記ユーザから受け付けるように構成された入力装置と、を備え、
前記プロセッサは、さらに、前記分配された物品が、前記出力モジュールによって表示された識別情報と同じ識別情報を有することを、前記ユーザが所定時間内に確認しなかった場合には、警告を出力するように構成されることを特徴とする臨床管理システム。
【請求項８】
分配されるべき少なくとも１つの物品の選択を受け付けるステップと、
前記少なくとも１つの物品をユーザに対して分配するステップと、
前記少なくとも１つの物品に関する識別情報であって、前記少なくとも１つの物品の少なくとも１つの特定の特徴と関連付けられたインジケータを含む識別情報を、メモリから取り出すステップと、
前記少なくとも１つの物品に関する識別情報を表示するステップと、
前記分配された少なくとも１つの物品が、前記表示された識別情報と同じ識別情報を有することを、前記ユーザが所定時間内に確認しなかった場合に、警告を出力するステップと、
前記分配された少なくとも１つの物品が、前記表示された識別情報と同じ識別情報を有することを、前記ユーザが確認したことを示す入力を、前記ユーザから受け付けるステップと、を含むことを特徴とする、物品の分配を確認するための方法。
【請求項９】
ユーザからアクセス情報を受け付けるステップをさらに備え、
前記ユーザが、前記少なくとも１つの物品に対するアクセスを有することを、前記アクセス情報が示す場合に、前記少なくとも１つの物品が前記ユーザに分配される、ことを特徴とする請求項８に記載の方法。
【請求項１０】
前記表示された識別情報は、前記少なくとも１つの物品の画像を含む、ことを特徴とする請求項８に記載の方法。
【請求項１１】
前記少なくとも１つの物品の少なくとも１つの特定の特徴は、前記少なくとも１つの物品の形状、色、および標示の少なくとも１つを含む、ことを特徴とする請求項８に記載の方法。
【請求項１２】
前記少なくとも１つの物品は、医薬品である、ことを特徴とする請求項８に記載の方法。
【請求項１３】
物品の分配を確認する命令を、プロセッサに実行させるための、コンピュータ実行可能な命令を有するコンピュータ読み取り可能な媒体であって、
分配されるべき少なくとも１つの物品の選択を受け付けるステップと、
前記少なくとも１つの物品をユーザに対して分配するステップと、
前記少なくとも１つの物品に関する識別情報であって、前記少なくとも１つの物品の少なくとも１つの特定の特徴と関連付けられたインジケータを含む識別情報を、メモリから取り出すステップと、
前記少なくとも１つの物品に関する識別情報を表示するステップと、
前記分配された少なくとも１つの物品が、前記表示された識別情報と同じ識別情報を有することを、前記ユーザが所定時間内に確認しなかった場合に、警告を出力するステップと、
前記分配された少なくとも１つの物品が、前記表示された識別情報と同じ識別情報を有することを、前記ユーザが確認したことを示す入力を、前記ユーザから受け付けるステップと、
を含む、ことを特徴とするコンピュータ読み取り可能な媒体。
【国際調査報告】
2013506611.tif 000008
2013506611.tif 000009
2013506611.tif 000010